(57)【要約】      （修正有）【課題】開封したことがあるかどうかを外観から識別可能な容器を提供する。【解決手段】開封を識別可能な容器は、開口端を備える缶体１０、内蓋、外蓋３０を備える。開口端の内縁は内側へと向かい環状リブ１１を設置する。内蓋周縁には環状リブ１１に係合する複数の停止片２１を環状に設置し、しかもその中心位置には外蓋３０に向かい凸部２２を延伸して設置する。外蓋３０は缶体１０に向かい延伸して、中心位置には凹孔３１を形成し、凹孔３１の底面には穿孔３１１を形成する。外蓋３０はさらに嵌合ボタンを備え、嵌合ボタンは直径が穿孔３１１よりも大きい環状体３２１を備え、環状体３２１の内縁は複数のリブ３２２により頭部３２３を連接し、頭部中３２３にはＴ型孔３２４を形成する。【選択図】図４
0003157126.tif 000002
【実用新案登録請求の範囲】
【請求項１】
開口端を備える缶体、前記缶体開口端に選択的に係合する内蓋、前記缶体開口端に嵌めて設置し、それを封鎖する外蓋を備え、
前記缶体開口端の内縁は、内側へと向かい環状リブを設置し、
前記内蓋周縁には、前記環状リブに係合する停止片を環状に設置し、しかもその中心位置には、前記外蓋に向かい凸部を延伸して設置し、前記凸部の中心には、穿孔を形成し、  前記外蓋は、前記缶体に向かい延伸して、前記缶体開口端に係合して、前記外蓋を定位する裾部を設置し、前記外蓋の中心位置には、凹孔を形成し、しかも前記凹孔の底面には、穿孔を形成し、
前記外蓋はさらに、結合部に係合して定位する嵌合ボタンを備え、前記嵌合ボタンは、直径が前記穿孔よりも大きい環状体を備え、
前記環状体の内縁は、複数のリブにより頭部を連接し、前記頭部の底端には、同心の結合柱を延伸して設置し、
前記結合柱は延伸し、前記内蓋の穿孔を貫通し、しかも、その外壁上には、前記凸部底面に係合する環状リブを環状に設置することを特徴とする開封を識別可能な容器。
【請求項２】
請求項１記載の開封を識別可能な容器において、前記開封を識別可能な容器はさらに、T型スタッフを備え、
容器を開封後、前記T型スタッフは、前記外蓋の凹孔と穿孔中に同時に収容設置され、こうして前記外蓋を封鎖することを特徴とする開封を識別可能な容器。
【請求項３】
開封を識別可能な容器は、開口端を備える缶体、前記缶体開口端に選択的に係合する内蓋、前記缶体開口端に嵌めて設置し、それを封鎖する外蓋を備え、
前記缶体開口端の内縁は、内側へと向かい環状リブを設置し、
前記内蓋周縁には、前記環状リブに係合する複数の停止片を環状に設置し、しかも中心位置には、穿孔を形成し、前記穿孔の内縁には、放射状に排列する複数のリブを設置し、前記各リブの自由端は、前記外蓋に向かい延伸する定位柱を連接し、しかも、前記定位柱の自由端には、断面がT型を呈する結合部を形成し、
前記外蓋の中心位置には、凹孔を形成し、しかも前記凹孔の底面には、穿孔を形成し、  前記外蓋はさらに、前記結合部に係合して定位する嵌合ボタンを備え、前記嵌合ボタン底面の直径は、前記穿孔の直径よりも大きく、
前記嵌合ボタン中には、前記結合部を収容設置して定位するT型孔を形成し、
前記外蓋は、前記缶体の方向に向かい延伸して、前記缶体開口端に係合する裾部を設置することを特徴とする請求項１に記載の開封を識別可能な容器。
【請求項４】
請求項３記載の開封を識別可能な容器において、前記開封を識別可能な容器はさらに、T型スタッフを備え、
容器を開封後、前記T型スタッフは、前記凹孔と穿孔中に同時に収容設置され、こうして前記外蓋を封鎖することを特徴とする開封を識別可能な容器。
【考案の詳細な説明】
【技術分野】
【０００１】
本考案は容器の構造に関し、特に開封したことがあるかどうかを外観から識別可能な容器に関する。
【背景技術】
【０００２】
一般の缶型容器は、通常は、物品を収容する円筒状の中空缶本体と、缶本体端部に設置して、缶本体を封鎖する蓋体とを備える。茶葉の包装・販売に用いる包装用缶を例とすると、茶葉を缶に入れる前には、先ず真空の包装手順を施す。よって、該缶体の構造と組立てにおいては、気密条件を考慮に入れる必要がないため、缶本体上に、簡単に蓋体を被せて嵌め、缶本体を封鎖するだけである。そのため、該缶体は、非常に簡単に開けることができる。
【０００３】
しかしもし、不届き者が、購入後に缶中の真空茶葉パックの中身を安価なものに交換した上で返品を要求したとしても、従来の茶葉缶では、外観から開封したことがあるかどうかを判定することはできない。このような状況にあっては、業者の損失を避けることはできない。
【０００４】
そのため、缶本体の開口部に、缶本体を封鎖する金属片を先ず加工し、いわゆるイージーオープン缶とし、蓋体を嵌めて設置する方法が採用されている。しかし、この種の方法では、特殊機械を使用して加工する必要があり、包装に伴う経費を増大させてしまう。しかも、この種の金属片は、缶本体を一旦離れると再使用ができないため、資源の浪費となる恐れがある。
【考案の概要】
【考案が解決しようとする課題】
【０００５】
本考案の目的は、開封したことがあるかどうかを外観から識別可能な開封を識別可能な容器を提供することである。
【課題を解決するための手段】
【０００６】
上記課題を解決するため、本考案は下記の開封を識別可能な容器を提供する。
開封を識別可能な容器は、開口端を備える缶体、該缶体開口端に選択的に係合する内蓋、該缶体開口端に嵌めて設置し、それを封鎖する外蓋を備え、
該缶体開口端の内縁は、内側へと向かい環状リブを設置し、
該内蓋周縁には、該環状リブに係合する複数の停止片を環状に設置し、しかもその中心位置には、該外蓋に向かい凸部を延伸して設置し、該凸部の自由端には、断面がT型を呈する結合部を形成し、
該外蓋は、該缶体に向かい延伸して、該缶体開口端に係合して、該外蓋を定位する裾部を設置し、該外蓋の中心位置には、凹孔を形成し、しかも該凹孔の底面には穿孔を形成し、
該外蓋はさらに、該結合部に係合して定位する嵌合ボタンを備え、該嵌合ボタンは直径が該穿孔よりも大きい環状体を備え、該環状体の内縁は、複数のリブにより頭部を連接し、該頭部中には、該結合部を収容設置して定位するT型孔を形成する。
【考案の効果】
【０００７】
本考案開封を識別可能な容器は、開封したことがあるかどうかを外観から識別することができる。
【図面の簡単な説明】
【０００８】
【図１】本考案第一実施例の立体外観図である。
【図２】本考案第一実施例の立体分解図である。
【図３】本考案第一実施例の断面図である。
【図４】本考案第一実施例の局部断面図である。
【図５】本考案第一実施例の作動図である。
【図６】本考案第一実施例において、開封後の様子を示す局部立体分解図である。
【図７】本考案第一実施例において、開封後の封鎖蓋体を示す模式図である。
【図８】本考案第二実施例の局部断面図である。
【図９】本考案第二実施例の作動図である。
【図１０】本考案第三実施例の断面図である。
【図１１】本考案第三実施例の立体分解図である。
【図１２】本考案第三実施例の局部断面図である。
【図１３】本考案第三実施例の作動図である。
【図１４】本考案第三実施例において、開封後の封鎖蓋体を示す模式図である。
【図１５】本考案第四実施例の局部断面図である。
【図１６】本考案第四実施例の作動図である。
【考案を実施するための形態】
【０００９】
図１〜４に示すように、開封を識別可能な容器は、物品を収容する缶体１０、選択的に缶体１０開口端に係合する内蓋２０、缶体１０開口端に嵌めて設置する外蓋３０とを備える。
缶体１０開口端の内縁は、内側へと向かい環状リブ１１を環状に設置する。
内蓋２０周囲には、環状リブ１１に係合する複数の停止片２１を環状に設置し、しかも中心位置には、外蓋３０に向かい、凸部２２を延伸して設置する。凸部２２の中心には、穿孔２２１を形成する。
外蓋３０の中心位置には、凹孔３１を形成し、しかも凹孔３１の底面には、穿孔３１１を形成する。外蓋３０はさらに、内蓋２０の穿孔２２１周縁に係合して定位する嵌合ボタン３２を備える。嵌合ボタン３２は、直径が外蓋３０の穿孔３１１よりも大きい、環状体３２１を備える。環状体３２１の内縁は、複数のリブ３２２により頭部３２３を連接する。頭部３２３の底端には、同心の結合柱３２４を延伸して設置する。結合柱３２４は延伸し、内蓋２０の穿孔２２１を貫通し、しかも、その外壁上には、凸部２２底面に係合する環状リブ３２５を環状に設置し、これにより、内蓋２０が缶体１０に落下しないようにする。
【００１０】
本考案を使用して物品を包装しようとする時には、先ず、物品を缶体１０中に入れ、外から内へと順番に、外蓋３０と内蓋２０の穿孔３１１、２２１に、結合柱３２４を貫通させる。次に、環状リブ３２５を利用して、凸部２２の底面において係合する。環状体３２１の外径は、穿孔３１１の直径より大きいため、嵌合ボタン３２と凸部２２との結合後、内蓋２０が、外蓋３０から離脱することはない。最後に、外蓋３０を内蓋２０と共に、外から内へと、缶体１０の開口端に設置する。
同時に、外蓋３０を缶体１０の開口端の外縁に嵌めて設置し、缶体１０を封鎖すると、環状リブ１１の停止片２１を越えて、外周は、環状リブ１１において係合されるため、外蓋３０を逆方向に開くことができなくなる。
【００１１】
開封する時には、図５に示すように、使用者は嵌合ボタン３２を下向きに押すだけで良い。この時、環状体３２１の係合作用により、下向きの外力は、頭部３２３に連結するリブ３２２を断裂させる。
よって、内蓋２０は頭部３２３及び結合柱３２４と共に、缶体１０中に落下し、こうして、外蓋３０を開けて、缶体１０中に収容されている物品を取り出すことができる。
【００１２】
さらに、図６、７に合わせて示すように、本考案を開封後は、外蓋３０上に形成する凹孔３１と穿孔３１１は、缶体１０と連通状態を呈するため、T型スタッフ３３を利用して、凹孔３１と穿孔３１１中に同時に収容設置する。これにより、外蓋３０を被せることで、開封前と同様に、缶体１０を封鎖する目的を達成することができる。
【００１３】
図８、９に示すように、本考案の第二実施例では、外蓋３０の下縁は、缶体１０に向かい延伸して、裾部３４を設置する。内蓋２０と共に外蓋３０を封鎖する時、裾部３４は、環状リブ１１に密着し、内部から缶体１０を封鎖する目的を達成する。その開封と、開封後に外蓋３０を被せる方法は、上記した第一実施例と完全に相同である。
【００１４】
図１０、１１、１２に示すように、本考案の第三実施例は、同様に、物品を収容する缶体４０、選択的に缶体４０開口端に係合する内蓋５０、缶体４０開口端に嵌めて設置する外蓋６０とを備える。
缶体４０開口端の内縁は、内側へと向かい環状リブ４１を環状に設置する。
内蓋５０周囲には、環状リブ４１に係合する複数の停止片５１を環状に設置し、しかも中心位置には、穿孔５２を形成する。穿孔５２の内縁には、放射状に排列する複数のリブ５２１を設置する。各リブ５２１の自由端は、外蓋６０に向かい延伸する定位柱５３を連接する。しかも、定位柱５３の自由端には、断面がT型を呈する結合部５３１を形成する。
外蓋６０の中心位置には、凹孔６１を形成し、しかも凹孔６１の底面には、穿孔６１１を形成する。外蓋６０はさらに、結合部５３１に係合して定位する嵌合ボタン６２を備える。嵌合ボタン６２の直径は、穿孔６１１よりも大きい。嵌合ボタン６２中には、結合部５３１を収容設置して定位するT型孔６２１を形成する。外蓋６０は、缶体４０の方向に向かい延伸して、直径が環状リブ４１の内径より小さい裾部６３を設置する。
【００１５】
本考案を使用して物品を包装しようとする時には、先ず、物品を缶体６０中に入れ、外から内へと、外蓋６０の穿孔６１１に、結合部５３１を貫通させる。次に、嵌合ボタン６２を、結合部５３１上に嵌めて設置し、同時に、結合部５３１を、T型孔６２１に収容設置して定位する。嵌合ボタン６２底面の直径は、穿孔３１１の直径より大きいため、嵌合ボタン６２と結合部５３１の結合後、内蓋５０は、外蓋６０から離脱することはない。最後に、外蓋６０を内蓋５０と共に、缶体４０の開口端に外から内へと設置する。これと同時に、裾部６３は、環状リブ４１の内縁に密着し、缶体４０を封鎖すると、環状リブ４１の停止片５１を越えて、外周は、環状リブ４１において係合されるため、外蓋６０を逆方向に開くことができなくなる。
【００１６】
開封する時には、図１３に示すように、使用者は嵌合ボタン６２を上向きに抜くだけで良い。この時、停止片５１と環状リブ４１の係合作用により、上向きの外力は、定位柱５３に連結するリブ５２１を断裂させ、嵌合ボタン６２を定位柱５３と共に、外蓋６０から抜き取る。こうして、内蓋５０は缶体４０中に落下し、外蓋６０を開けて、缶体４０中に収容されている物品を取り出すことができる。
【００１７】
さらに、図１４に合わせて示すように、本考案を開封後は、外蓋６０上に形成する凹孔６１と穿孔６１１は、缶体４０と連通状態を呈するため、T型スタッフ６５を利用して、凹孔６１と穿孔６１１中に同時に収容設置する。これにより、外蓋６０を被せることで、開封前と同様に、缶体４０を封鎖する目的を達成することができる。
【００１８】
図１５、１６に示すように、本考案の第四実施例において、外蓋６０裾部６４の内径は、缶体４０開口端の外径よりいくらか大きい。内蓋５０と共に外蓋６０を被せる時、裾部６４は、缶体４０開口端の外縁に密着し、外部から缶体４０を封鎖する目的を達成する。その開封と、開封後に外蓋６０を被せる方法は、上記した第三実施例と完全に相同である。
【符号の説明】
【００１９】
１０  缶体
１１  環状リブ
１２  内蓋
２１  停止片
２２  凸部
２２１  穿孔
３０  外蓋
３１  凹孔
３１１  穿孔
３２  嵌合ボタン
３２１  環状体
３２２  リブ
３２３  頭部
３２４  結合柱
３３  T型スタッフ
３４  裾部
４０  缶体
４１  環状リブ
５０  内蓋
５１  停止片
５２  穿孔
５２１  リブ
５３  定位柱
５３１  結合部
６０  外蓋
６１  凹孔
６１１  穿孔
６２  嵌合ボタン
６２１  T型孔
６３  裾部
６４  裾部
６５  T型スタッフ
【図１】
0003157126.tif 000003
【図２】
0003157126.tif 000004
【図３】
0003157126.tif 000005
【図４】
0003157126.tif 000006
【図５】
0003157126.tif 000007
【図６】
0003157126.tif 000008
【図７】
0003157126.tif 000009
【図８】
0003157126.tif 000010
【図９】
0003157126.tif 000011
【図１０】
0003157126.tif 000012
【図１１】
0003157126.tif 000013
【図１２】
0003157126.tif 000014
【図１３】
0003157126.tif 000015
【図１４】
0003157126.tif 000016
【図１５】
0003157126.tif 000017
【図１６】
0003157126.tif 000018